(57)【要約】  本発明は、弾性構成要素（４０）と、長手方向側縁部（３２）及び後側区域（３）内の接続縁部（３３ａ、ｂ）を有する１つ以上の開口部（３１）とを有する、トップシート（３０）を有する吸収性物品に関し、長手方向側縁部（３２）と接続縁部（３３）との間の角度（angel）（角度α）は、８０°〜１０５°であり、好ましくは、本明細書に定義されるような長さＬのＬ”に対する比は、横断方向のしわの存在及びその後の漏れの危険性を低減させるために、０．５５以下である。
2010502258.tif 000002
【特許請求の範囲】
【請求項１】
バックシート（１０）と、吸収性コア（２０）と、糞便物を受け入れるための少なくとも１つの開口部（３１）を有するトップシート（３０）とを有し、それぞれが長手方向及び軸線（Ｙ）、並びに横断方向及び軸線（Ｘ）を有する吸収性物品（１）であって、
前記トップシート（３０）は、１つ以上のシート材料（１又は複数）から作製され、前側区域（２）及び後側区域（３）を有し、少なくとも１つの開口部（３１）又はその一部が、該トップシート（３０）の少なくとも該後側区域（３）内に存在しており、
１００％伸張状態において、
ａ）前記トップシートは、少なくとも１つの弾性構成要素（４０ａ、ｂ）を含み、それぞれの弾性構成要素（４０ａ、ｂ）は、長手方向に延びる部分を含み、かつ任意に、該トップシート（３０）の該後側区域（３）内に存在する湾曲点Ａを有する湾曲をもって、又は角度点Ａを有する角度をもって前記トップシートに取り付けられ、
ｂ）前記開口部（３１）の少なくとも１つ又はその一部（３）は、長手方向に延びる２つの対向縁部（３２ａ、ｂ）を有し、前記長手方向縁部のそれぞれ又はその一部は、前記弾性構成要素（４０ａ、ｂ）の前記長手方向に延びる部分の少なくとも１つに対して少なくとも実質的に平行及び極めて近接しており、前記少なくとも１つの開口部（３１）は、該後側区域（３）内で前記対向長手方向縁部（３２ａ、ｂ）を接続する、少なくとも１つの接続縁部（３３ａ、ｂ）を有し、
前記接続縁部（３３ａ、ｂ）は、８０°〜１０５°である角度αをもって、点Ｄで前記長手方向側縁部（３２ａ、ｂ）に接続する、吸収性物品。
【請求項２】
バックシート（１０）と、吸収性コア（２０）と、糞便物を受け入れるための少なくとも１つの開口部（３１）を有するトップシート（３０）とを有し、それぞれが長手方向及び軸線（Ｙ）、並びに横断方向及び軸線（Ｘ）を有する吸収性物品（１）を製造するための方法であって、
前記トップシート（３０）は、１つ以上のシート材料（１又は複数）から作製され、前側区域（２）及び後側区域（３）を有し、少なくとも１つの開口部（３１）又はその一部が、該トップシート（３０）の少なくとも該後側区域（３）内に存在しており、
ａ）長手方向（Ｙ）及び横断方向（Ｘ）、後側区域（３）及び前側区域（２）、並びに横断方向終縁部（５０ａ、ｂ）を有するトップシート材料を得る工程と、
ｂ）該トップシート材料の該後側区域（３）の少なくとも一部を長手方向Ｙに通過するが、該シート材料の該横断方向終縁部（５０ａ、ｂ）は通過しないスリット縁部を有する中央長手方向スリット（５１）を形成し、該シートの該後側区域（３）内に二次元の開口部（５３）を形成し、前記開口部（５３）は、前側接続縁部（３３ａ、ｂ）、及び互いに接続された側縁部を含む工程と、
ｃ）工程ｂ）の前、同時、又は後に、前記トップシート材料の少なくとも該後側区域（３）内で、それぞれ角度点Ａ又は湾曲点Ａを有する角度又は湾曲をもって１つ以上の弾性構成要素（４０ａ、ｂ）を部分的に又は完全に伸張した状態で前記シート材料に取り付ける工程であって、前記弾性構成要素（４０ａ、ｂ）はそれぞれ、前記スリット（５１）の該長手方向縁部の１つ又はその一部に対して実質的に平行及び極めて近接した長手方向に延びる部分を含む工程と、を含み、
前記開口部（５３）の前記前側接続縁部（３３ａ、ｂ）と側縁部との間の（点Ｄでの）該角度αは、８０°〜１０５°である、方法。
【請求項３】
請求項２に記載の方法によって入手可能な吸収性物品。
【請求項４】
それぞれの弾性構成要素（４０ａ、ｂ）は、該トップシート（３０）の該後側区域（３）に存在する湾曲点Ａを有する湾曲又は角度点Ａを有する角度をもって前記トップシートに取り付けられ、該後側区域（３）内の前記接続縁部（３３ａ、ｂ）は、前記トップシート（３０）の該長手方向軸線Ｙ上に配置された中心点Ｃを有し、前記接続縁部（３３ａ、ｂ）又はその一部は、点Ｃから点Ｄまでの長さＬを有し、前記トップシート（３０）又はトップシート材料は、前記角度点Ａ又は湾曲点Ａを通過するとともに点Ｂで該長手方向軸線Ｙと垂直に交差する、１つ以上の、好ましくは１つの横断方向線Ｘ”を有し、点Ｂから点Ｃまでの長さＬ”を有し、ＬのＬ”に対する比は０．５５以下、好ましくは０．５以下である、請求項１又は３に記載の吸収性物品（１）。
【請求項５】
前記角度αが９０°〜１００°である、請求項１又は３に記載の吸収性物品（１）。
【請求項６】
該トップシート（３０）は、該トップシート（３０）の該前側区域（２）の一部及び該後側区域（３）の一部に存在する、実質的に平行の長手方向側縁部（３２ａ、ｂ）を有する１つの長手方向に延びる開口部（３１）を有する、請求項１又は３〜４のいずれか一項に記載の吸収性物品（１）。
【請求項７】
前記弾性構成要素（４０ａ、ｂ）は、少なくとも２つの長手方向に延びる弾性バンド又はストランドの形態であり、これらは、互いに対して部分的に平行であり、それぞれの前記湾曲又は角度を該後側区域（３）内に含み、該弾性構成要素（４０ａ、ｂ）を逸らし、該弾性構成要素（４０ａ、ｂ）をそれぞれ該Ｙ軸から離して屈曲させる、請求項４に記載の吸収性物品（１）。
【請求項８】
前記開口部（５３）がダイヤモンド形の開口部である、請求項２に記載の方法。
【請求項９】
前記弾性構成要素（４０ａ、ｂ）は、少なくとも２つの長手方向に延びる弾性バンド又はストランドの形態であり、これらは、互いに対して部分的に平行であり、またこれらは、少なくとも該後側区域（３）内で、前記湾曲点Ａ又は角度点Ａを有する湾曲又は角度をもって該トップシートにそれぞれ取り付けられて、該弾性構成要素（４０ａ、ｂ）を逸らし、該弾性構成要素（４０ａ、ｂ）をそれぞれ該Ｙ軸から離して屈曲させ、それぞれの前記弾性構成要素（４０ａ、ｂ）は、前記点Ａで該Ｙ軸との角度又は該Ｙ軸に対して平行な長手方向線との角度１５°〜３５°、好ましくは２０°〜３０°を有する、請求項２に記載の方法。
【請求項１０】
バックシート（１０）と、吸収性コア（２０）と、糞便物を受け入れるための少なくとも１つの開口部（３１）を有するトップシート（３０）とを有する吸収性物品（１）であって、
前記トップシート（３０）は、前側区域（２）及び後側区域（３）を有し、長手方向及び軸線（Ｙ）、並びに横断方向及び軸線Ｘを有し、
該物品（１）は、前記吸収性コア（２０）と前記トップシート（３０）との間に空隙空間を含み、
７５％伸張状態において、
ａ）該トップシート（３０）は、１つ以上のシート材料（１又は複数）から作製され、少なくとも１つの弾性構成要素（４０ａ、ｂ）を含み、
ｂ）それぞれの弾性構成要素（４０ａ、ｂ）は、該開口部（１又は複数）（３１）の該長手方向側縁部（３２ａ、ｂ）の少なくとも一部に沿って少なくとも存在しており、それぞれの弾性構成要素（４０ａ、ｂ）は、少なくとも前記後側区域（３）内で、角度点Ａ又は湾曲点Ａを有する角度又は湾曲をもって前記トップシートに取り付けられ、それぞれは、延在部分（４３）が該トップシート（３０）の該横断方向縁部に向かった状態で、及び該長手方向縁部に向かった状態で延び、
ｄ）前記開口部（３１）は、前記後側区域（３）内の点Ｄで該長手方向縁部（３２ａ、ｂ）を接続する接続縁部（３３ａ、ｂ）を有し、それぞれの縁部は、中心点Ｃを有し、
ｃ）前記トップシート（３０）は、該後側区域（３）内に１つ以上の三角形部分Ｎを有し、それぞれはｉ）点ＤからＣまでの該接続縁部（３３ａ又はｂ）の一部分、ｉｉ）点ＣからＤまでの前記部分に最も近い、該最接近弾性構成要素の延在部分（４３）、及びｉｉｉ）ｉ）とｉｉ）とを接続する線によって画定され、
ｄ）前記部分（１又は複数）Ｎは、横断方向に延びるしわが実質的になく、３ｍｍ超の高さの横断方向に延びるしわを有さず、存在する任意の横断方向のしわは、２ｍｍ未満の横断方向の平均しわ高さを有する、吸収性物品。
【請求項１１】
前記部分Ｎのそれぞれは、２ｍｍ超の高さの横断方向に延びるしわを有さず、存在している任意の横断方向のしわは、１ｍｍ未満の平均しわ高さを有する、請求項１０に記載の吸収性物品（１）。
【請求項１２】
前記部分Ｎのそれぞれは、０．５ｍｍ超の高さの横断方向に延びるしわを有さず、好ましくは前記部分（１又は複数）Ｎは、横断方向に延びるしわがない、請求項１０に記載の吸収性物品（１）。
【請求項１３】
該トップシート（３０）の該後側部分（３）又はその一部は、好ましくは追加のシート材料を該後側区域（３）の一部に追加することによって剛化されている、請求項１、３又は１０のいずれか一項に記載の吸収性物品（１）。
【請求項１４】
該トップシート（３０）の該後側部分（３）又はその一部は、好ましくは実質的に横断方向の弾性を有する弾性シートを含む、請求項１、３又は１０のいずれか一項に記載の吸収性物品（１）。
【請求項１５】
該トップシート（３０）の該後側部分（３）又はその一部は、身体接着剤を含む、請求項１、３又は１０のいずれか一項に記載の吸収性物品（１）。
【発明の詳細な説明】
【技術分野】
【０００１】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲との両方を意味することを意図する。例えば、「４０ｍｍ」として開示された寸法は、「約４０ｍｍ」を意味することを意図する。
【０００２】
本発明は、トップシート下の空隙空間内に糞便を受け入れるための１つ以上の大きな開口部を有し、１つ以上の弾性構成要素を有する１つ以上のシートで作製される弾性トップシートを含む吸収性物品を対象とし、前記トップシートは、後側区域内に横断方向のしわが発生し得る最小限の区域を有して、その後のこのようなしわをつたって抜ける糞便漏れの危険性を低減させるか又は排除する。
【背景技術】
【０００３】
近年、ユーザーの皮膚にこびり付く糞便の量を低減するために、糞便を隔離し収容するのに役立つ多くのおむつが提案されてきた。例えば、１以上の開口部を有するトップシートを備えたおむつが開発されており、糞便は、その開口部を通ってトップシートと吸収性コアとの間の空隙空間に移動することができる。その結果、糞便物は、このトップシートの下に皮膚から離れて収容される。例えば、ＥＰ  １４１７９４７−Ａ及び同時係属中の欧州特許出願０１１１７６６９．０には、２重のＹ又はＸ形状の弾性体を有する大きなスリット開口部を有するトップシートを有するようなおむつが記載されており、これは、トップシートの開口部を肛門及び生殖器付近に維持するのに役立つ。
【先行技術文献】
【特許文献】
【０００４】
【特許文献１】ＥＰ  １４１７９４７−Ａ
【特許文献２】欧州特許出願０１１１７６６９．０
【発明の概要】
【発明が解決しようとする課題】
【０００５】
本発明者らは今、提案された先行技術のトップシート又はカフの多くを用いても、特に糞便の粘性が低い場合は、幾分かの糞便漏れが依然として発生することがあるのを見出した。本発明者らは、驚くべきことに、トップシートが湾曲した弾性体又は角度付きの弾性体を後側区域内に含むとき、このような漏れがより激しい場合があること、また、このような漏れは、有意な横断方向のしわが存在するときに発生する場合があることを見出した。本発明者らは、弾性体及び開口部を有するトップシートを、（後側区域内で）横断方向のしわが発生し得る最小限の領域のみが得られるように形成することによって、又は、トップシートの後側区域を、相当多数の横断方向のしわが発生しないように形成することによって、漏れの危険性を著しく低減又は排除でき、より効果的な糞便隔離を実現できることを見出した。
【課題を解決するための手段】
【０００６】
本発明は、バックシート（１０）と、吸収性コア（２０）と、糞便物を受け入れるための１つ以上の開口部（１又は複数）（３１）を有するトップシート（３０）とを有し、それぞれが長手方向及び軸線（Ｙ）、並びに横断方向及び軸線（Ｘ）を有する吸収性物品（１）に関し、前記トップシート（３０）は、１つ以上のシート材料（１又は複数）から作製され、前側区域（２）及び後側区域（３）を有し、少なくとも１つの開口部（３１）又はその一部は、該トップシート（３０）の少なくとも該後側区域（３）内に存在しており、物品（１）は、弛緩状態において、前記吸収性コア（２０）と前記トップシート（３０）との間に空隙空間を含み、１００％伸張状態において、
ａ）前記トップシートは、少なくとも１つの弾性構成要素（４０ａ、ｂ）を含み、それぞれの弾性構成要素（４０ａ、ｂ）は、長手方向に延びる部分、かつ任意に、該トップシート（３０）の該後側区域（３）に存在する湾曲点Ａを有する湾曲、又は角度点Ａを有する角度を含み、
ｂ）前記開口部（３１）又はその一部（３）は、実質的に長手方向に延びる２つの側縁部（３２ａ、ｂ）を有し、前記長手方向縁部のそれぞれ又はその一部は、前記弾性構成要素（１又は複数）（４０ａ、ｂ）の前記長手方向に延びる部分の１つ以上に対して少なくとも実質的に平行、隣接、及び極めて近接しており、
ｃ）前記開口部（３１）は、該後側区域（３）内で該長手方向縁部（３２ａ、ｂ）を接続する、少なくとも１つの接続縁部（３３ａ、ｂ）を有し、
それぞれの接続縁部（３３ａ、ｂ）は、（８０°〜１０５°、好ましくは９０°又は９５°〜１００°である角度αをもって）点Ｄで長手方向側縁部（３２ａ、ｂ）に接続する。
【０００７】
本発明はまた、バックシート（１０）と、吸収性コア（２０）と、糞便物を受け入れるための少なくとも１つの開口部（３１）を有するトップシート（３０）とを有し、それぞれが長手方向及び軸線（Ｙ）、並びに横断方向及び軸線（Ｘ）を有する吸収性物品（１）を製造するための方法であって、前記トップシート（３０）は、１つ以上のシート材料（１又は複数）から作製され、前側区域（２）及び後側区域（３）を有し、少なくとも１つの開口部（３１）又はその一部は、該トップシート（３０）の少なくとも該後側区域（３）内に存在しており、
ａ）長手方向（Ｙ）及び横断方向（Ｘ）、後側区域（３）及び前側区域（２）、並びに横断方向終縁部（５０ａ、ｂ）を有するトップシート材料を得る工程と、
ｂ）該トップシート材料の該後側区域（３）の少なくとも一部を長手方向Ｙに通過するが、該シート材料の該横断方向終縁部（５０ａ、ｂ）は通過しないスリット縁部を有する中央長手方向スリット（５１）を形成し、該シートの該後側区域（３）内に二次元の開口部（５３）、例えば切り取り部を形成し、前記開口部（５３）は、前側接続縁部（３３ａ、ｂ）、及び互いに接続された側縁部を含む工程と、
ｃ）工程ｂ）の前、同時、又は後に、前記トップシート材料の少なくとも該後側区域（３）内で、それぞれ角度点Ａ又は湾曲点Ａを有する角度又は湾曲をもって１つ以上の弾性構成要素（４０ａ、ｂ）を部分的に又は完全に伸張した状態で前記シート材料に取り付ける工程であって、前記弾性構成要素（４０ａ、ｂ）はそれぞれ、前記スリット（５１）の該長手方向縁部の１つ又はその一部に対して実質的に平行及び極めて近接した長手方向に延びる部分を含む工程と、を含み、
前記開口部（５３）の前記前側接続縁部（３３ａ、ｂ）と側縁部との間の（点Ｄでの）角度αは、８０°〜１０５°である、方法に関する。
【０００８】
本発明はまた、本明細書に特許請求され記載される方法によって入手可能な物品に関する。
【０００９】
好ましくは、吸収性物品は、本明細書に定義されるような点Ｃ及びＢ及びＤを有し、長さＬ（ＤからＣまで）の長さＬ”（ＣからＢまで）に対する比は０．５５以下、好ましくは０．５０以下、又は好ましくは０．４５以下であり、任意に、０．１０超、好ましくは０．２０超、又は好ましくは０．３０超である。点Ａは、典型的には点Ｄよりもトップシートの横断方向軸線により近い。
【００１０】
好ましくは、点Ａ、Ｂ、Ｃ、及びＤは全て、開口部又は切り取り部（５３）の縁部に含まれる。
【００１１】
本発明はまた、バックシート（１０）と、吸収性コア（２０）と、糞便物を受け入れるための少なくとも１つの開口部（３１）を有するトップシート（３０）とを有する吸収性物品（１）に関し、前記トップシート（３０）は、前側区域（２）及び後側区域（３）を有し、長手方向及び軸線（Ｙ）、並びに横断方向及び軸線Ｘを有し、物品（１）は、前記吸収性コア（２０）と前記トップシート（３０）との間に空隙空間を含み、７５％の伸張状態において、
ａ）トップシート（３０）は、１つ以上の（one ore more）シート材料（１又は複数）から作製され、少なくとも１つの弾性構成要素（４０ａ、ｂ）を含み、
ｂ）それぞれの弾性構成要素（４０ａ、ｂ）は、開口部（１又は複数）（３１）の該長手方向側縁部（３２ａ、ｂ）の少なくとも一部に沿って少なくとも存在しており、それぞれの弾性構成要素（４０ａ、ｂ）は、少なくとも前記後側区域（３）内で、角度点Ａ又は湾曲点Ａを有する角度又は湾曲をもって前記トップシートに取り付けられ、それぞれは、延在部分（４３）がトップシート（３０）の横断方向縁部に向かった状態で、及び長手方向縁部に向かった状態で延び、
ｄ）前記開口部（３１）は、前記後側区域（３）内の点Ｄで長手方向縁部（３２ａ、ｂ）を接続する接続縁部（３３ａ、ｂ）を有し、それぞれの縁部は、中心点Ｃを有し、
ｃ）前記トップシート（３０）は、後側区域（３）内に１つ以上の（one ore more）三角形部分Ｎを有し、それぞれはｉ）点ＤからＣまでの接続縁部（３３ａ又はｂ）の一部分、ｉｉ）点ＣからＤまでの前記部分に最も近い、最接近弾性構成要素の延在部分（４３）、及びｉｉｉ）ｉ）とｉｉ）とを接続する線によって画定され、
ｄ）前記部分（１又は複数）Ｎは、横断方向に延びるしわが実質的になく、３ｍｍ超の高さの横断方向に延びるしわを有さず、存在する任意の横断方向のしわは、２ｍｍ未満の横断方向の平均しわ高さを有する、吸収性物品に関する。
【００１２】
吸収性物品は、好ましくは、プルオン若しくはトレーニングパンツを含むおむつ、及び／又は成人失禁用品である。
【図面の簡単な説明】
【００１３】
【図１】本発明の好ましい吸収性物品（１）の斜視図。
【図２】先行技術の吸収性物品の平面図。
【図３】図１の好ましい吸収性物品（１）の平面図。
【図４】図１の物品（１）の後側区域（３）の断面図。
【図５】「ダイヤモンド形」の開口部分（５３）を切除することによって、本明細書でトップシート（３０）として有用なシート材料に好ましい開口部（３１）を形成することができる方法。
【発明を実施するための形態】
【００１４】
本明細書で使用するとき、次の用語は、次に示す意味を有する。
【００１５】
本明細書で使用するとき、「吸収性物品」は、体液を吸収でき、ユーザーの生殖器に近接して又は押し当てて配置するのに好適な、特に大人又は乳幼児用のおむつ、及びいわゆるトレーニングパンツ又はプルアップ式パンツを含む、いずれかの物品を意味する。
【００１６】
本明細書で使用するとき、「前側区域」及び「後側区域」は、使用中にそれぞれ着用者の前側及び着用者の後側に最も近く、それぞれが物品又はトップシート（３０）の長手方向長さの半分を有する、２つの区域を指す。
【００１７】
本明細書で使用する時、用語「空隙空間」は、糞便物などの排泄物を受け入れて閉じ込める働きをする、少なくとも弛緩状態において存在する物品内の空洞であり、典型的には弛緩状態で少なくとも５ｃｍ３である。
【００１８】
本明細書で使用するとき、「長手方向」は、構成要素の最長直線寸法、通常は物品の長手方向軸線に実質的に平行に走る方向であり、特に明記しない限り、この平行方向の３０°以内の方向を包含する。
【００１９】
「横断」方向は、長手方向に直交し、物品の大部分及び長手方向軸線と同一平面（the same plan）内にある方向であり、特に明記しない限り、その直交方向の３０°以内の方向を包含する。
【００２０】
「極めて近接して」は、本明細書で弾性構成要素及び開口部（３１）の縁部に関して使用するとき、構成要素間の平均距離が最大３ｍｍであることを意味する。
【００２１】
「隣接した」は、本明細書で弾性構成要素及び開口部の縁部に関して使用するとき、２つの構成要素の２つの隣接した点、部分、又は領域が、同一の正確な横断方向線又は正確な長手方向線上に存在していることを意味する。
【００２２】
前及び後ろの横断方向縁部が水平面上で平らであり、横断方向中心線あるいは軸線が水平面上にあるように、物品が水平面上で横に置かれるとき、本明細書で使用する「弛緩」又は「弛緩状態」は、物品又はその構成要素に対して（重力など自然発生力以外の）力が付加されていない状態を意味する。
【００２３】
本明細書で使用するとき、「伸縮性である」は通常、その構成要素が少なくとも一方向に弾性である弾性材からなるか、あるいは弾性材を含むことを意味する。「伸縮性でない」は、本明細書で使用するとき、その構成要素がいかなる弾性材をも含まないことを意味する。
【００２４】
本明細書で使用するとき、「トップシート内の開口部（３１）」は、トップシート又はそのシート構成要素によって完全に包囲されるがトップシート材料が存在しない領域を意味し、これは、糞便物を受け入れるのに十分大きく、典型的には、少なくとも２ｃｍの長さ又は幅であるか、少なくとも２ｃｍ２の表面積を有する。
【００２５】
「湾曲点Ａ」は、本明細書で使用するとき、（弾性体が湾曲して取り付けられているときに）弾性構成要素の湾曲のちょうど中央にある弾性構成要素上の点である。弾性構成要素が取り付けられるときの弾性構成要素の湾曲又は角度は、弾性構成要素が物品内で使用中のときの湾曲又は角度（angel）と異なっていてもよいが、角度点Ａ又は湾曲点Ａは、同じ場所にとどまっていることに留意されたい。
【００２６】
本明細書で使用するとき、吸収性物品の構成要素の全ての寸法及び定義、例えばＬ、Ｌ”、角度は、特に明記しない限り、また７５％伸張状態（より正確には「使用中」の状態を表わす）において決定されるＮ及びそのしわに関する定義を除いて、１００％伸張状態におけるこのような物品に関する。７５％伸張状態は、吸収性物品を完全に伸張し、その完全に伸張した状態を決定してから、物品を部分的に７５％伸張状態まで弛緩させることによって得ることができる。
【００２７】
本発明のトップシート（３０）は、後側区域（３）内に少なくとも１つの開口部（３１）又はその一部を含み、前記開口部（３１）又はその一部は、１つ以上の接続縁部（３３ａ、ｂ）で互いに接続された２つの対向する実質的に長手方向の側縁部（３２ａ、ｂ）を含み、接続縁部（３３ａ、ｂ）は、８０°〜１０５°、好ましくは９０°又は９５°〜１００°である角度αをもって点Ｄでそれぞれの側縁部（３２）に接続されている。
【００２８】
好ましくは、長手方向側縁部（３２ａ、ｂ）は、トップシート及び物品の長手方向軸線Ｙに対して平行であってもよい。好ましい接続縁部（３３ａ、ｂ）は、角度又は湾曲をもって互いに接続された２つ以上の部分（３３ａ、及び３３ｂ）を有する。例えば、接続縁部（３３ａ、ｂ）は、湾曲、典型的には点Ｃにおける湾曲、又は点Ｃにおける角度を有してもよく、点Ｃの互いの側、接続縁部分（３３ａ、及び３３ｂ）は、典型的には、点Ｃを通過する長手方向線（例えばＹ軸）において互いの鏡像である。
【００２９】
弾性構成要素（４０）は、好ましくは、例えば図４及び５に示されるように、後側区域（３）内で角度（angel）又は湾曲をもってトップシート材料に取り付けられる。これは、肛門（好ましくはまた生殖器）と１又は複数の開口部との位置合わせを改善するために、また、トップシートをユーザーの皮膚に接触して又は極めて近接して維持するために、弾性構成要素（４０）の弾性力を方向づけるのに役立つ。弾性構成要素（４０）は、角度（angel）点Ａ又は湾曲点Ａを有する角度又は湾曲を好ましくは有する。好ましくは、対向する湾曲点Ａ又は角度（angel）点Ａは、同一の横断方向線上に位置決めされる。
【００３０】
好ましくは、少なくとも一対の弾性構成要素は、それらがＹ軸において互いの鏡像であり、両方の湾曲点Ａ又は角度（angel）点Ａが同一の横断方向線上に位置決めされるように存在している。
【００３１】
１又は複数の点Ａを通過する横断方向線は、Ｙ軸に対して垂直であり、点ＢにおいてＹ軸を横切る。ＣとＢとの間の距離は、本明細書において、Ｌ”と称される。
【００３２】
好ましい実施形態では、相当多数の横断方向のしわの危険性は、長さＬの長さＬ”に対する比を制限すること、即ち、ＬのＬ”に対する比が０．５５以下、好ましくは０．５０以下、任意に少なくとも０．１０、又は少なくとも０．２０であるように、トップシート（３０）に接続縁部（１又は複数）（３３）、側縁部（３２）、及び弾性構成要素（４０）を提供することによって低減される。
【００３３】
Ｌ及びＬ”の正確な長さは、トップシート、開口部及び弾性構成要素の全長、必要とされる開口部の幅、並びに／又は角度αに依存し得る。
【００３４】
あるいは、又は加えて、トップシート（３０）は、後側区域（３）内に１つの又は典型的には２つの（又はそれ以上の）三角形部分Ｎを有し、それぞれは（７５％の伸張状態で）、ｉ）（トップシート（３０）の前記後側区域（３）内の）点ＣからＤまでの接続縁部（３３ａ又はｂ）の一部分、ｉｉ）トップシート（３０）の前記後側区域（３）内の最接近弾性構成要素（１又は複数）（４０ａ又はｂ）の少なくとも一部、及びｉｉｉ）ｉ）とｉｉ）とを接続する線によって画定され、（７５％伸張状態における）それぞれのこのような部分Ｎは、横断方向に延びるしわが実質的になく、これは、本発明の目的に関して、１３×１８ｍｍレンズ（プリモス（PRIMOS）：光源ショット（Light Source Schott）ＫＬ１５００、ＧＦＳメステクニック社（GFS Messtechnik GmbH）（ドイツ）を使用）を使用して、同製品の取扱説明書に従って、プリモス（PRIMOS）機器、及びそのデータ収集ソフトウェアを用いて測定されるとき、Ｎが３ｍｍ超の高さの横断方向に延びるしわを有さないこと、及び／又は２ｍｍ未満の横断方向の平均しわ高さを有することを意味する。
【００３５】
好ましくは、前記部分Ｎは、２ｍｍ超の高さの横断方向に延びるしわを有さず、たとえ横断方向のしわが存在したとしても、それらは、１ｍｍ未満の平均しわ高さを有する。更に好ましくは、前記部分Ｎは、０．５ｍｍ超の高さの横断方向に延びるしわを有さない。部分Ｎには、横断方向に延びるいかなるしわもないことが好ましいことがある。（横断方向のしわが上記のように画定されるならば、部分Ｎは、いかなる寸法及び三角形状を有してもよい。）
【００３６】
好ましい実施形態では、本発明の吸収性物品（１）は、１つ以上の開口部（３１）を有するトップシート（３０）と、後側区域（３）内に、前記開口部（１又は複数）（３１）の最接近（長手方向延在）縁部（３２ａ、ｂ）に隣接して実質的に平行な極めて近接した第１部分（４１ａ、ｂ）を含む１つ以上の弾性構成要素（４０ａ、ｂ）とを有し、任意に又は典型的には、前記弾性構成要素（１又は複数）（４０ａ、ｂ）は、前記後側区域（３）内に、開口部（３１）の縁部に隣接しない第３部分（４３）を含み、前記弾性構成要素（１又は複数）（４０ａ、ｂ）は、トップシート（３０）の前記後側区域（３）内に、前記開口部（１又は複数）（３１）の最接近縁部（３２ａ、ｂ）に隣接して非平行である第２部分（４２）を含み、この第２部分（４２）は最小限、即ち、弾性構成要素（１又は複数）（４０ａ、ｂ）の前記第２部分（４２）の長さはＬ”より短い。幾つかの実施形態では、このような第２部分（４２）の存在を排除することすら可能であり、その結果、前記長さＬは約０であり、その結果、角度付きの又は湾曲した弾性構成要素（４０ａ、ｂ）は、前記第１部分及び典型的には前記第３部分（１又は複数）のみを含む。
【００３７】
本明細書のトップシート（３０）は、使用中にユーザーの皮膚と接触するか又は部分的に接触する、吸収性物品（１）の層である。トップシート（３０）は、単一シート又は積層状シートから作製されてもよく、あるいは、互いに接続されるか又は取り付けられた別個のシートを含んでもよく、あるいは、本明細書に記載の、前記開口した開口部（３１）を画定するように構成された別個のシートを含んでもよい。好ましい実施形態では、トップシート（３０）は、物品（１）の幅の約７０〜１００％、及び物品（１）の長さの約７０〜１００％にわたって延びる（任意に又は好ましくは積層状の）シートを少なくとも含む。
【００３８】
別の好ましい実施形態では、トップシート（３０）は、物品（１）の長さの約７０％〜１００％にわたって延びるが物品（１）の幅の５０％未満のみにわたって延びる、２つの（任意に又は好ましくは積層状の）シートを含んでもよく、これらは任意に、追加のシート、例えば、Ｘ−Ｙ平面（長手方向×横断方向平面）内の長手方向に対向する実質的に矩形の２つのシートと互いに直接的に取り付けられるか、又は互いに接続されてもよく、これらは互いの鏡像であってもよく、またこれらは、横断方向に位置するシート、又はＸ−Ｙ平面若しくはＸ−Ｚ平面内のストリップによって、互いに接続されてもよい。
【００３９】
このような単一（任意に若しくは好ましくは積層状の）シート、又は後側区域（３）内のトップシート（３０）のこのようなシートは、好ましくは疎水性である。好ましくは、トップシート（３０）は、長手方向軸線に沿った１つ以上の開口部（１又は複数）（３１）を画定し、これは、トップシート（３０）の及びおむつの長手方向軸線に対して実質的に平行な長手方向寸法（長さ）を有する。トップシート（３０）は１つ又は２つのこのような開口部（３１）を画定することが好ましい場合があり、あるいは、好ましい実施形態では、トップシート（３０）は唯一の単一開口部（３１）を有する。
【００４０】
（１００％伸張状態において）トップシート（３０）の開口部（３１）（１又は複数）は、開口部（３１）の長さ（又は開口部（１又は複数）（３１）の全長）の２０％〜４０％、又はより好ましくは２０％〜３０％が、トップシート（３０）の横断方向軸線からトップシート（３０）の前縁部に向かって延び、また残りの割合がトップシート（３０）の後縁部に向かって延びるように構成されることが好ましいことがある。
【００４１】
開口部（３１）の寸法及び正確な形状は、トップシート（３０）及び／又は吸収性物品（１）の寸法に応じて変化してもよい。
【００４２】
好ましい実施形態では、トップシート（３０）は、吸収性物品（１）の全長の４０％〜９０％、又はより好ましくは５０％〜８０％、又は更により好ましくは約６０％〜７０％の最大長さを有する、このような１つの開口部（３１）を画定する。本明細書の開口部（３１）の平均幅は、例えば、吸収性物品（１）の幅のその横断方向軸線に沿った平均幅の５％〜３０％、又はより好ましくは１０％〜２５％であり得る。
【００４３】
図３に見られるように、好ましくは開口部（１又は複数）（３１）は、１００％伸張状態において、物品（１）の長手方向軸線に対して実質的に平行な長手方向に延びる対向側縁部（３２ａ、ｂ）を有する。
【００４４】
上述したように、長手方向側縁部（３２）は、少なくとも後側区域（３）内で１つ以上の接続縁部（３３ａ、ｂ）、典型的には後側区域内で（但し、好ましくは前側区域（２）内でも）１つのこのような接続縁部（３３ａ、ｂ）と接続しており、これは、図３及び４から分かるように、一直線状の（好ましくは横断方向の）接続縁部、湾曲した接続縁部、又は角度付きの接続縁部であってよい。
【００４５】
図４に見られるように、本明細書の好ましい実施形態では、トップシート（３０）の後側区域（３）内の前記接続縁部（３３ａ、ｂ）は、Ｌ”よりも短い長さにわたって非平行であるが、最接近弾性構成要素（４０ａ、ｂ）の一部に隣接していてもよい。
【００４６】
上述のように、本明細書の好ましい物品はまた、図１、３及び４から分かるように（それぞれが）実質的に平行な極めて近接した部分（即ち、開口部（３１）の長手方向に延びる縁部（３２ａ、ｂ）まで３ｍｍ以内、好ましくは２ｍｍ以内、又は更に１ｍｍ以内）を有する、１つ以上の弾性構成要素を含む。
【００４７】
図に見られるように、弾性構成要素（４０ａ、ｂ）は、典型的には（長手方向に）開口部（３１）を越えてトップシート（３０）の横断方向縁部に向かって又はトップシート（３０）の横断方向縁部まで延び、その結果、弾性構成要素（４０ａ、ｂ）は、開口部（３１）（の縁部）に隣接していない第３部分（４３）を有してもよい。
【００４８】
本明細書のトップシート（３０）は、典型的には後側区域（３）内に角度又は湾曲をもって取り付けられた弾性構成要素（４０ａ、ｂ）を含み、その結果、それらは少なくとも後側区域（３）内に角度又は湾曲を提供する。好ましくは、物品は、互いから離れて及びＹ軸から離れて物品（１）の長手方向縁部（３２ａ、ｂ）に向かって屈曲するように湾曲又は角度を有する、少なくとも一対の対向する弾性構成要素（４０ａ、ｂ）を有するトップシートを含む。
【００４９】
好ましい弾性構成要素（４０）は、Ｙ軸から逸れている。それらは好ましくは、（逸れている弾性部分と長手方向線との間の点Ａで）１５°〜３５°、好ましくは２０°〜３０°、又は好ましくは２４°〜２８°の角度を有するように、あるいは、（前記点Ａにおける逸れている弾性体と長手方向線との接線の間で）１５°〜３５°、好ましくは３０°〜２０°、好ましくは２８°〜２４°の角度を有する湾曲点Ａを有する湾曲を有するように取り付けられる。
【００５０】
好ましくは、トップシート（３０）は、少なくとも（長手方向軸線で反転した）互いの鏡像である２つの弾性構成要素（４０ａ、ｂ）を含む。
【００５１】
トップシートはまた、後側区域（３）内の開口部の長手方向縁部に極めて近接した部分を有する一対の弾性構成要素（４０ａ、ｂ）と、加えて、トップシート内に位置決めされるが、最接近長手方向縁部（４０）から少なくとも１０ｍｍ、好ましくは少なくとも１５ｍｍ、又は更に少なくとも２０ｍｍ離れた１つ以上の弾性構成要素、いわゆる二次弾性構成要素とを含んでもよい。
【００５２】
本明細書の弾性構成要素（４０ａ、ｂ）は、例えば弾性材の（多数の薄い）ストランドから、又は、例えば弾性材の単一のバンドから形成されてもよい。
【００５３】
弾性構成要素（１又は複数）は、トップシート（３０）の後側区域（３）内で、開口部（３１）の長手方向終縁部又は点を越え、物品（１）の横断方向縁部に向かって又は物品（１）の横断方向縁部まで延びる。典型的には、それぞれのこのような弾性構成要素（４０ａ、ｂ）の長さは、好ましくは開口部（３１）の長さ又は開口部（３１）の全長を超過する。
【００５４】
トップシート（３０）上の弾性構成要素（４０）の幅は、典型的にはトップシート（３０）及び／又は物品（１）の正確な寸法に応じて変化する。例えば、弾性構成要素（４０ａ、ｂ）は、０．５ｍｍ〜４０ｍｍ、好ましくは１ｍｍ〜３０ｍｍ、又は更により好ましくは２又は３ｍｍ、若しくは更に５ｍｍ〜２０ｍｍであってもよい。
【００５５】
一実施形態では、本明細書の弾性トップシートは、同時係属中の欧州特許出願０１１１７６７０．８に記載されるように、またその中に記載の方法によって決定されるように、特定の力特性を有する。一実施形態では、物品の弾性トップシートは、上述の同時係属出願に記載の方法によって５００ｍｍ／分のクランプ速度を使用して測定される、２周期ヒステリシスに基づく弾性特性を有し、それは以下の通りである。
【００５６】
１．１Ｎ未満の第１負荷力により１．５Ｌｔ、２．１Ｎ未満の第１負荷力により３．０Ｌｔ、及び３．０Ｎ未満の第１負荷力により４．５Ｌｔ、並びに４．５Ｌｔで０．９Ｎ超の第２負荷軽減力、３．０Ｌｔで０．５超の第２負荷軽減力、及び１．５Ｌｔで０．１Ｎ超の第２負荷軽減力。
【００５７】
より好ましくは、本明細書で有用な弾性トップシートの特性は、
０．６Ｎ未満の第１負荷力により１．５Ｌｔ、１．１Ｎ未満の第１負荷力により３．０Ｌｔ、及び１．５Ｎ未満の第１負荷力により４．５Ｌｔ、並びに４．５Ｌｔで０．９Ｎ超の第２負荷軽減力、３．０Ｌｔで０．５Ｎ超の第２負荷軽減力、及び１．５Ｌｔで０．１Ｎ超の第２負荷軽減力である。
【００５８】
本明細書の好ましい弾性トップシートの好ましい特性は、以下の表の全ての長さにおいて、第１負荷力及び第２負荷力によって定義される（５００ｍｍ／分のクランプ速度を有する２周期ヒステリシスについて、４．５Ｌｔ又は０．８Ｌｓのどちらか小さい方まで、以下に記述するように拡張する）。
【表１】
2010502258.tif 000003
＊これらの値は、以下の試験方法において説明するように、０．８Ｌｔｓ未満である限り意義がある。
【００５９】
一実施形態では、物品は、物品の０．５Ｌｓ未満のＬｃを有する。好ましくは、物品のＬｃは、物品の０．４５Ｌｓ未満、又は更に０．４Ｌｓ未満、又は更に０．３５Ｌｓ未満、又は更に０．３Ｌｓ未満である。
【００６０】
弾性材は典型的には、多数のストランド又は単一のバンドの形態であって、少なくとも２０ミクロン、より好ましくは少なくとも４０ミクロン、更に少なくとも６０ミクロン、通常は約３００ミクロンまで、更に２００ミクロンまで、更に１５０ミクロンまでの平均厚さ（例えばゲージ）を有する。非常に好ましい材料は、約７０〜１００ミクロンの平均厚さを有する。ここに使用される好ましい弾性材として、トレデガー（Tredegar）から入手可能なＶＦＥ−ＣＤ、及びフルフレックス（Fulflex）（ライムリック（Limerick）、アイルランド）から入手可能なＬ−８６、Ｌ−８９、又はＬ−９０が挙げられる。
【００６１】
横断方向のしわ及び漏れの危険性を更に低減するために、トップシート（３０）は、後側区域（３）内に及び／又は部分（１又は複数）Ｎ内に、追加の材料、例えばコーティング、追加のシートを含んで、後側区域（３）又は部分（１又は複数）Ｎ内で、トップシート（３０）を、トップシート（３０）の前側区域（２）と比較してより堅くしてもよい。あるいは又は加えて、トップシート（３０）は、後側区域（３）内又は部分（１又は複数）Ｎ内に、追加の弾性構成要素（４０ａ、ｂ）、又は好ましくは弾性シートを含んでもよい。あるいは又は加えて、トップシート（３０）は、後側区域（３）又は部分（１又は複数）Ｎ内に、横断方向のしわの発生を低減させる及び漏れを低減させる身体接着剤を含んでもよい。
【００６２】
吸収性物品は、トップシート（３０）の一部であり得る、及び／又はトップシート（３０）のシート材料に接続され得る、生殖器カバーシートを含んでもよい。使用中、この生殖器カバーシートは、生殖器を汚れから保護するために、生殖器の周りに部分的なポケットを形成する。
【００６３】
好ましくは、生殖器カバーシートは、トップシート（３０）の伸縮性シートの上方又は（好ましくは）下方で、吸収性物品の前側区域（２）内のみに存在する。生殖器カバーシートは、好ましくはトップシートの前記伸縮性シートに完全には取り付けられず、より好ましくはその下の吸収性コア（２０）に最大でも部分的に取り付けられるか、又は好ましくは取り付けられない。好ましくは、開口部（３１）（１又は複数）の上、その中、又はその下に存在する生殖器カバーシートの部分の最大長さは、開口部（３１）の最大長さの１０％〜５０％、好ましくは１０％〜３０％、又はより好ましくは１３％〜２８％、又は更により好ましくは１７％〜２７％である。換言すれば、開口部（３１）の最大長さの最大５０％が生殖器カバーシートの最長部分によって「覆われる」が、開口部（３１）の最大長さの少なくとも１０％が、生殖器カバーシートの最長部分によって覆われる。
【００６４】
好ましい実施形態では、生殖器カバーシートは、長手方向若しくは横断方向のいずれか又は両方に伸張可能であり、その結果、生殖器カバーシート上への生殖器の圧力が、生殖器カバーシートを伸張させて生殖器の周囲でポケットを形成する。生殖器カバーシートは、弾性的に伸張可能であってもよく、あるいは好ましくは、生殖器カバーシートは、長手方向に及び／又はより好ましくは横断方向に、非弾性的に伸張可能であってもよい。
【００６５】
本明細書の吸収性物品の生殖器カバーシートは、好ましくは尿透過性である。
【００６６】
トップシート（３０）の長手方向側縁部は、好ましくは、当該技術分野において既知のいずれかの取り付け手段によってバックシートの長手方向側縁部に接合され又は取り付けられて、長手方向に対向する取り付け領域を形成する。本発明の好ましい一実施形態では、トップシート（３０）とバックシートは、ある場所では互いに直接取り付けられ、別の場所では所望により間接的に共に接合される。
【００６７】
好ましくは、開口部（３１）の幅を含むトップシート（３０）の平均幅は、上述した、バックシートに対するトップシート（３０）の長手方向取り付け領域の間の平均距離より大きい。開口部（３１）の幅を含むトップシート（３０）の平均幅は、バックシートの平均幅より長いことも好ましい。トップシート（３０）は、例えば、１つ以上の横断方向及び／又はより好ましくは長手方向の折り畳みを有してもよく、これは、使用中に展開可能であって、コア（２０）及びバックシートの垂れ下がりを可能にし、一方、トップシート（３０）は所定の位置に留まる。
【００６８】
本明細書のトップシート（３０）は、液体若しくは尿透過性であっても、又は非透過性であってもよい。トップシート（３０）は、一方向に液体又は尿が透過性であるが、反対方向には液体又は尿が非透過性であるのが好ましく、例えば体液がトップシート（３０）を通過しておむつの残りの部分へしみ込み、反対方向にはゼロ又は限定量の液体（尿）しか着用者の皮膚に向かって侵入できないことが好ましい。しかしながら、非常に好ましい実施形態では、トップシート（３０）又は（使用中に着用者に面する）その表面積の少なくとも５０％を超える部分が、疎水性である。トップシート（３０）は、尿不透過性及び糞便不透過性であるのが好ましい。
【００６９】
本明細書の好ましいトップシート（３０）は、（着用者の皮膚を、おむつの残り部分に収容されている液体から隔離するために）疎水性材料のシート、又は、例えば疎水性表面コーティングによって、疎水性となるように処理されたシートで作製される。好ましい疎水性の表面コーティングは、例えば同時係属中の米国特許出願ＵＳ６０／５４３，７８５（２００４年２月１１日出願）に記載されている。好ましくは、疎水性の表面コーティングは、１つ以上のシリコーンポリマー又はフッ素化ポリマーを含む。
【００７０】
好適なトップシート（３０）は、天然繊維（例えば木質繊維若しくは木綿繊維）、又は合成繊維（例えばポリエステル、ポリエチレン、及び／若しくはポリプロピレンの繊維）、又は天然繊維と合成繊維との組み合わせの織布ウェブあるいは不織布ウェブを含む、広範な材料で製造され得る。トップシート（３０）に繊維が含まれる場合、その繊維は、当該技術分野で既知のように、例えば、スパンボンド、カード、湿式、メルトブロウン、水流交絡、又は別の方法で加工されてよい。非常に好ましいのは、スパンボンド層（Ｓ）とメルトブロウン層（Ｍ）（１又は複数）を含んで、ウェブの表面がスパンボンド層（１つ又は複数）で形成されたウェブである。好ましいのは、比較的高い坪量、例えば、２５ｇ／ｍ２（ｇｓｍ）超、例えば、３４ｇｓｍのＳＭＭＳ（１２ｇｓｍのメルトブロウン及び５ｇｓｍのスパンボンド）、３４ｇｓｍのＳＭＭＳ（１０ｇｓｍのメルトブロウン及び７ｇｓｍのスパンボンド）、３０ｇｓｍのＳＭＭＳ（１０ｇｓｍのメルトブロウン及び５ｇｓｍのスパンボンド）、３０ｇｓｍのＳＭＭＳ（８ｇｓｍのメルトブロウン及び７ｇｓｍのスパンボンド）、３４ｇｓｍのＳＭＳ（２０ｇｓｍのメルトブロウン及び７ｇｓｍのスパンボンド）を有するようなウェブ、又は例えば、上述した、１７ｇｓｍのＳＭＭＳを２層含むウェブである。
【００７１】
トップシート（３０）のいずれかの部分が、当該技術分野において既知であるローション又は減摩粉末でコーティングされてもよい。
【００７２】
吸収性物品はまた、当該技術分野において知られているように、通常は液体不透過性のバックシート（１０）を含む。好適なバックシート材料は通常、おむつから蒸気を逃がすものの、排泄物がバックシートを通過することを防ぐ、通気性の材料を含む。好適なバックシートフィルムとしては、インディアナ州テレホート（Terre Haute,IN）のトレデガー・インダストリーズ社（Tredegar Industries Inc）により製造され、商品名Ｘ１５３０６、Ｘ１０９６２、及びＸ１０９６４で販売されているものが挙げられる。バックシート又はそのいずれかの部分は、１つ以上の方向に弾性的に延伸性であってもよい。
【００７３】
バックシート（１０）は、トップシート（３０）、吸収性コア、若しくはおむつのいずれかの他の要素に、当該技術分野において既知のいずれかの取り付け手段によって取り付けられるか、又は接合されてもよい。
【００７４】
トップシート（３０）及びバックシートを取り付けるための取り付け手段は、例えば圧力接着、又は例えば接着剤の均一な連続層、接着剤の模様付き層、又は、米国特許第４，５７３，９８６号に開示されるような、接着剤の別個の線、らせん、若しくは点の配列を含んでもよい。満足のいくものであることが判明した接着剤は、Ｈ．Ｂ．フラー社（H. B. Fuller Company）（ミネソタ州セントポール（St. Paul））によって製造され、ＨＬ−１６２０及びＨＬ−１３５８−ＸＺＰとして市販されている。あるいは、取り付け手段は、熱接着、圧力接着、超音波接着、動的機械的接着、若しくは他のいずれかの好適な取り付け手段、又は当該技術分野で既知であるこれらの接着手段の組み合わせを含んでもよい。
【００７５】
吸収性コアは、粉砕木材パルプ、縮みセルロース詰め物（creped cellulose wadding）；コフォームを包含するメルトブローポリマー；化学的に剛化、変性、又は架橋されたセルロース性繊維；ティッシュラップ及びティッシュラミネートを包含するティッシュ；吸収性フォーム；吸収性スポンジ；超吸収性ポリマー；吸収性ゲル材料；又はいかなる既知のその他の吸収性材料若しくは材料の組み合わせなど、一般的に圧縮性で、適合性があり、着用者の皮膚に対して刺激がなく、尿を吸収し保持できる、いかなる吸収性材料を含んでもよく、吸収性ゲル材料の吸収性コア容積（例えばコアラップ、又はカバーシートを除く）の８０重量％超過を含む吸収性貯蔵層を有し、パルプなどの吸収性セルロース繊維を５％未満含むか、又は好ましくは吸収性セルロース繊維のない吸収性コアが好ましい可能性がある。
【００７６】
吸収性物品は、また、トップシート（３０）と吸収性コアとの間に配置された、身体排泄物、典型的には糞便物を受け入れ、及び／又は固定化することができる副層を含んでもよい。副層として使用するのに好適な材料としては、大径気泡開放発泡体、マクロ孔質耐圧縮性不織布嵩高品、大粒子形態の開放及び独立気泡発泡体（マクロ及び／又はミクロ孔質）、嵩高不織布、ポリオレフィン、ポリスチレン、ポリウレタンの発泡体若しくは粒子、多数の垂直配向の、好ましくはループ状繊維ストランドを含む構造体、又は生殖器カバーシートに関して上述されたような、好ましくは孔あき成形フィルムを挙げることができる。本明細書で使用するとき、用語「ミクロ孔質」は、毛管現象によって流体を移送することができ、但し５０ミクロン超過の平均孔径を有する材料を指す。用語「マクロ孔質」は、流体を毛管移送するには大き過ぎる細孔を有し、一般に直径が約０．５ｍｍ（平均）を超える細孔を有し、より具体的には直径が約１．０ｍｍ（平均）を超える、但し典型的には１０ｍｍ未満、又は更には６ｍｍ（平均）未満の細孔を有する材料を指す。
【００７７】
本明細書の吸収性物品は、好ましくは、使い捨ての大人又は乳幼児用のおむつ又はトレーニングパンツ／プルアップパンツである。本発明のおむつ又はトレーニングパンツは、液体及び他の身体排出物の封じ込めを改善する一対以上の伸縮性レッグカフを有してもよい。レッグカフは、米国特許第３，８６０，００３号、米国特許第４，８０８，１７８号及び第４，９０９号、米国特許第４，６９５，２７８号及び第４，７９５，４５４号に記載されているように、レッグバンド、サイドフラップ、バリアカフ、又は弾性カフと称されることもある。
【００７８】
本発明のおむつを製造する好ましい方法
本明細書に記載されるような、吸収性物品（１）、並びに１つ以上の開口部（３１）及び弾性構成要素（４０ａ、ｂ）を有するトップシート（３０）は、いかなる方法によって製造されてもよい。例えば、トップシート（３０）は、それらの間で中に１つ以上の開口部（３１）を画定するように組み立てられた２つ以上のシート若しくは構成要素を含んでもよく、又はトップシート（３０）の１つ以上の部分を除去して１以上の（or more）開口部（３１）を提供してもよく、又は１つ以上の切り口がトップシート（３０）に作製されて１つ以上の開口部（３１）を提供してもよく、又はこのような手法の組合わせを含んでもよい。
【００７９】
好ましい方法（その結果生じる材料の一例が図５に示されている）は、
ａ）長手方向（Ｙ）及び横断方向（Ｘ）、後側区域（３）及び前側区域（２）、並びに横断方向終縁部（５０ａ、ｂ）を有するシート材料を得る工程と、
ｂ）シート材料の後側区域（３）の少なくとも一部を長手方向Ｙに通過するが、シート材料の横断方向終縁部（５０ａ、ｂ）は通過しない中央長手方向スリット（５１）（切り口）を形成し、シートの後側区域（３）内に二次元の開口部（５３）、例えば切り取り部、例えば円形、楕円形、好ましくはダイヤモンド形の開口部（５３）を形成する工程と、
ｃ）本明細書に記載のように、工程ｂ）の前、同時、又は後に、前記シートの少なくとも（at lest）後側区域（３）内で角度又は湾曲をもって１つ以上の（one ore more）弾性構成要素（４０ａ、ｂ）を伸張状態で前記シート材料に取り付ける工程と、を含む。
【００８０】
開口部（５３）／切り取り部は、その縁部上に点Ａ、Ｄ及びＣ、並びにＢ（ＢはＡと一致してもよい）を含むように行われることが好ましいことがある。この方法によって製造された物品は、上記に定義したようなＬ及びＬ”、並びに比率及び角度αを有してもよい。
【００８１】
トップシート（３０）に１つの開口部（３１）が存在するならば、物品（１）の前側及び後側区域（３）の一部に前記スリット（５１）を入れるのが好ましいことがある。
【００８２】
図５から分かるように、開口部（５３）又は切り取り部は、同一でない縁部、及び／又は丸みを帯びた角度を有する「ダイヤモンド」を包含する、「ダイヤモンド」の形状のあってもよい。
【００８３】
スリット及び切り取り部（５１）の好ましい寸法は、使用されるトップシート（３０）及び吸収性物品（１）及び弾性構成要素（４０ａ、ｂ）の寸法に依存する。例えば、（ドイツで販売されるような）パンパース（Pampers）サイズ３のおむつの場合、本明細書に記載される好適なトップシートには、１００％伸張状態で２８０〜２９０ｍｍの長さの開口部が追加されてもよく、これは、乳児に応じて、使用中に全長２１０〜１３０ｍｍを有する開口部を提供することができる。
【００８４】
最初に、長手方向に延びる（スリット）開口部（３１）が、トップシート（３０）材料に形成（切断）されてもよく、次に、一対の弾性構成要素（４０ａ、ｂ）（例えばバンド）が部分的に又は完全に伸張した状態でトップシート（３０）に取り付けられ、その結果、それぞれの弾性構成要素（４０ａ、ｂ）の第１部分（４１）は、開口部（３１）の最接近長手方向縁部又はその一部に隣接かつ極めて近接して存在する。あるいは、最初に、弾性構成要素（４０ａ、ｂ）が、部分的に又は完全に伸張した状態でトップシート（３０）に取り付けられ、トップシート（３０）にわたって長手方向に延び、トップシート（３０）の少なくとも後側区域（３）内に角度又は湾曲を好ましくは有してもよく、その後、長手方向に延びる（スリット）開口部（３１）が、トップシート（３０）材料の一部及び弾性構成要素（４０ａ、ｂ）の一部を通過し、典型的にはトップシート（３０）材料及び弾性構成要素（４０ａ、ｂ）の長手方向軸線に沿って形成（切断）される。
【００８５】
弾性構成要素の取り付けは、圧力及び／又は熱及び／又は接着剤によって行われてもよい。弾性構成要素を取り付けるための好ましい接着剤としては、ＡＴＯ−フィンドレイ（ATO-Findley）から入手可能なＨ２０３１、及びＨ．Ｂ．フラー（米国セントポール（St Pauls））から入手可能なＨＬ−１６２０が挙げられる。
【００８６】
好ましい実施形態では、トップシート（３０）内のスリット／切断は、スリットとして切断されてもよく、スリット開口部（３１）は、角度付きの／湾曲した弾性構成要素（４０ａ、ｂ）の拡張力によりその幅を得るか、又は、スリット開口部（３１）は、例えば最大３．０ｃｍの幅寸法を有して切断されてもよい。図５に見られるように、典型的には、スリット開口部（３１）は、後側区域（３）内の追加の切り取り部（５１）を除いて、幅寸法を有さないスリットとして切断され、前記後側区域（３）内でスリットに、また任意に前側区域（２）内で切り取り部に取り付けられ、スリット開口部（３１）の前記前側区域点でスリット縁部に取り付けられる。
【００８７】
ユーザーの皮膚と接触するトップシート（３０）の表面上に弾性構成要素（４０ａ、ｂ）が存在しているならば、皮膚と弾性領域の直接的接触を避けるために、その弾性構成要素（４０ａ、ｂ）上に追加層、例えば不織布材が配置されることが好ましいことがある。
【００８８】
好ましい実施形態では、弾性構成要素（４０ａ、ｂ）／バンドは、不織布の開口部（３１）のそれぞれの長手方向縁部に部分的伸張状態で取り付けられ、それにより、中央部分は、部分的に又は十分に伸張した状態で取り付けられ、このような弾性構成要素（４０ａ、ｂ）の末端部分は、非伸張状態で取り付けられる。
【００８９】
「発明を実施するための形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味又は定義が、参照により組み込まれる文献における用語のいずれかの意味又は定義と対立する範囲については、本文書におけるその用語に与えられた意味又は定義を適用するものとする。
【００９０】
本発明の特定の実施形態が説明及び記載されてきたが、本発明の趣旨及び範囲から逸脱することなく他の様々な変更及び修正を行えることが当業者には明白であろう。従って、本発明の範囲内にあるそのような全ての変更及び修正を添付の特許請求の範囲で扱うものとする。
【図１】
2010502258.tif 000004
【図２】
2010502258.tif 000005
【図３】
2010502258.tif 000006
【図４】
2010502258.tif 000007
【図５】
2010502258.tif 000008
【国際調査報告】
2010502258.tif 000009
2010502258.tif 000010